(57)【特許請求の範囲】
【請求項１】
ディスクプレーヤーの駆動モータから被駆動部に動力を伝達    するための動力伝達機構であって、支軸と、該支軸に回転可能に外嵌された歯車とを有し、該歯車の内周面が、周方向所定間隔をおいて複数の油溜溝を形成した溝付き面と、油溜溝を形成していない溝無し面とに上下２つに区分され、前記歯車の内周面上端に環状凹段部が形成され、該環状凹段部の外径を前記各油溜溝の外周縁を結ぶ仮想円の外径よりも大きく設定することにより、その各油溜溝の上端開口部が環状凹段部の底面の中央部から内周縁にかけて開口され、その環状凹段部に嵌合して内周面を前記支軸の外周面に接近させることにより前記各油溜溝の上端開口部を塞ぐリング状油漏れ防止キャップが設けられていることを特徴とする電子機器の動力伝達機構。
【発明の詳細な説明】
【０００１】
【発明の属する技術分野】
本発明は、ＣＤ、ＤＶＤなどと略称される光ディスク、光磁気ディスク（以下、ディスクと称する）に記録されている情報の再生や記録または消去を行うためのディスクプレーヤーなどの電子機器の駆動モータから被駆動部に動力を伝達するための動力伝達機構に関する。
【０００２】
【従来の技術】
ディスクプレーヤーの一例として図１０及び図１１に示すものがある。これは、ディスクＤを支持するトレー１が筐体２に前後移動ａ，ｂ可能に設けられ、トレー１の下方に光ピックアップ３が昇降ｃ，ｄ可能に設けられ、筐体２の基枠部２ａに前記トレー１及び光ピックアップ３（被駆動部）を動力伝達機構４を介して移動させる駆動モータ５が設けられ、前記動力伝達機構４が、基枠部２ａに立設した複数の円筒状合成樹脂製支軸４Ａと、該各支軸４Ａの小径部４ａに回転可能に外嵌されてその大径部４ｂ上に載置された互いに噛合する複数の合成樹脂製歯車４Ｂとを有し、筐体２の上端に架設した梁６の中央貫通孔６ａにディスクホルダー７が上下動可能に嵌合され、光ピックアップ３のターンテーブル３ａがトレー１の中央貫通孔１ａを通ってディスクＤに係脱可能に構成されている。
【０００３】
上記構成において、前進ａさせたトレー１上にディスクＤを載置した後（図１０仮想線参照）、駆動モータ５により動力伝達機構４を介してトレー１を後退ｂさせ（図１０実線参照）、次に、駆動モータ５により動力伝達機構４を介して光ピックアップ３を上昇ｃさせて、ターンテーブル３ａによりディスクＤを持ち上げて、該ターンテーブル３ａとディスクホルダー７とでディスクＤを挟持し、続いて、ターンテーブル３ａによりディスクＤを高速回転させ、そのディスクＤに記録されている情報を光ピックアップ３により読み取るようになっている。
【０００４】
従来、前記動力伝達機構４の各歯車４Ｂを円滑に回転させるため、図１２及び図１３に示すように、各支軸４Ａの小径部外周面９に各歯車４Ｂの内周面１０を全面的に対向させ、その両面９，１０間にグリスを潤滑油として充填している。
【０００５】
【発明が解決しようとする課題】
上記従来の構成では、各支軸４Ａの小径部外周面９と各歯車４Ｂの内周面１０との間にグリスが薄膜状に充填されているだけであるから、長期使用によりグリス切れが生じて、歯車４Ｂの円滑な回転が阻害される。また、グリスの充填量が多すぎると、前記両面９，１０間からグリスが流出して周辺を汚すことになる。
【０００６】
ところで、実開昭６２−１６６３５８号公報に基づいて、前記各支軸４Ａの外周面９に周方向所定間隔をおいて溝部を形成すると共に、前記各歯車４Ｂの内周面１０に周方向所定間隔をおいて突起部を形成することが考えられるが、その各突起部を前記各溝部に嵌入させるようになっているため、前記両面９，１０間にグリスを薄膜状にしか充填することができず、前述した従来の問題点を解消することはできない。
【０００７】
本発明は、上記従来の欠点に鑑み、歯車を長期にわたって円滑に回転させることができるようにした電子機器の動力伝達機構を提供することを目的としている
。
【０００８】
【課題を解決するための手段】
上記目的を達成するため、請求項１記載の発明は、ディスクプレーヤーの駆動モータから被駆動部に動力を伝達するための動力伝達機構であって、支軸と、該支軸に回転可能に外嵌された歯車とを有し、該歯車の内周面が、周方向所定間隔をおいて複数の油溜溝を形成した溝付き面と、油溜溝を形成していない溝無し面とに上下２つに区分され、前記歯車の内周面上端に環状凹段部が形成され、該環状凹段部の外径を前記各油溜溝の外周縁を結ぶ仮想円の外径よりも大きく設定することにより、その各油溜溝の上端開口部が環状凹段部の底面の中央部から内周縁にかけて開口され、その環状凹段部に嵌合して内周面を前記支軸の外周面に接近させることにより前記各油溜溝の上端開口部を塞ぐリング状油漏れ防止キャップが設けられていることを特徴としている。
【０００９】
上記構成によれば、歯車の内周面に形成した油溜溝にグリスなどの潤滑油を供給することにより、その歯車を長期にわたって円滑に回転させることができる。
【００１０】
また、油溜溝が歯車の内周面に周方向所定間隔をおいて複数形成されているので、その各油溜溝から潤滑油を支軸の外周面にほぼ均等に供給することができる。
【００１１】
更に、歯車に設けた溝無し面を支軸の外周面に対向させているので、その歯車の回転を安定させることができ、これによって、歯車に設けた溝付き面の油溜溝により該歯車の回転が不安定になるのを防ぐことができる。
【００１２】
また更に、歯車の内周面上端の環状凹段部に嵌合する油漏れ防止キャップより油溜溝の上端開口部が塞がれるので、歯車の回転による遠心力で油溜溝内のグリスなどの潤滑油が上方へ流出するのを防止することができる。
【００１３】
しかも、油溜溝に充填したグリスなどの潤滑油によって歯車を長期にわたって円滑に回転させることができるようにしたディスクプレーヤーを提供することができる。
【００１４】
【発明の実施の形態】
以下、本発明の実施の形態を図面に基づいて説明する。図１〜図３は本発明の第１の参考例であるディスクプレーヤーの動力伝達機構４を示すものであって、歯車４Ｂの内周面１０に、複数（この参考例では４本）の油溜溝１２が周方向所定間隔をおいて該歯車４Ｂの軸心に沿って形成されている。上記以外の構成は図１０〜図１３に示す構成とほぼ同じであるから、同一部分に同一符号を付してその説明を省略する。
【００１５】
上記構成によれば、油溜溝１２にグリスなどの潤滑油Ｏを充填することにより、その潤滑油Ｏを支軸４Ａの外周面９に供給して、歯車４Ｂを長期にわたって円滑に回転させることができる。また、油溜溝１２が周方向所定間隔をおいて複数形成されているので、その各油溜溝１２からグリスなどの潤滑油Ｏを支軸４Ａの外周面９にほぼ均等に供給することができる。更に、歯車４Ｂの表面積が広がるため、放熱効果が高い。
【００１６】
図４〜図６は本発明の第２の参考例であるディスクプレーヤーの動力伝達機構４を示すものであって、歯車４Ｂの内周面１０が、複数の油溜溝１２を形成した溝付き面１０ａと、油溜溝１２を形成していない溝無し面１０ｂとに上下２つに区分されている。なお、油溜溝１２の長さが第１の参考例の油溜溝１２よりも短いため、その油溜溝１２の本数を増加させている（この参考例では８本）。上記以外の構成は第１の参考例とほぼ同じであるから、同一部分に同一符号を付してその説明を省略する。
【００１７】
上記構成によれば、歯車４Ｂの内周面下側に設けた溝無し面１０ｂを支軸４Ａの小径部外周面９に対向させているので、その歯車４Ｂの回転を安定させることができ、これによって、歯車４Ｂの内周面上側に設けた溝付き面１０ａの油溜溝１２により歯車４Ｂの回転が不安定になるのを防ぐことができる。また、油溜溝１２の底部からグリスなどの潤滑油Ｏが流出するのを溝無し面１０ｂにより阻止することができる。
【００１８】
図７は本発明の第３の参考例であるディスクプレーヤーの動力伝達機構４を示すものであって、図４と比較すると、溝付き面１０ｂと溝無し面１０ｂとが上下逆になっており、それ以外の構成は第２の参考例と同じであるから、同一部分に同一符号を付してその説明を省略する。
【００１９】
上記構成によれば、第２の参考例と同様に、溝無し面１０ｂによって、歯車４Ｂの回転が不安定になるのを防ぐことができると共に、油溜溝１２から上方にグリスなどの潤滑油Ｏが流出するのを阻止することができる。
【００２０】
図８及び図９は本発明の実施の一形態であるディスクプレーヤーの動力伝達機構４を示すものであって、歯車４Ｂの内周面１０の上端に環状凹段部１３が形成され、その環状凹段部１３に嵌合して内周面１５ａを支軸４Ａの外周面９に接近させたリング状油漏れ防止キャップ１５が設けられている。上記以外の構成は第２の参考例とほぼ同じであるから、同一部分に同一符号を付してその説明を省略する。
【００２１】
上記構成によれば、油漏れ防止キャップ１５により油溜溝１２の上端開口部が塞がれるので、歯車４Ｂの回転による遠心力で油溜溝１２内のグリスなどの潤滑油Ｏが上方へ流出するのを防止することができる。
【００２２】
【発明の効果】
請求項１記載の発明によれば、歯車の内周面に形成した油溜溝にグリスなどの潤滑油を供給することにより、その歯車を長期にわたって円滑に回転させることができる。
【００２３】
また、油溜溝が歯車の内周面に周方向所定間隔をおいて複数形成されているので、その各油溜溝から潤滑油を支軸の外周面にほぼ均等に供給することができる
。
【００２４】
更に、歯車に設けた溝無し面を支軸の外周面に対向させているので、その歯車の回転を安定させることができ、これによって、歯車に設けた溝付き面の油溜溝により該歯車の回転が不安定になるのを防ぐことができる。
【００２５】
また更に、歯車の内周面上端の環状凹段部に嵌合する油漏れ防止キャップより
油溜溝の上端開口部が塞がれるので、歯車の回転による遠心力で油溜溝内のグリスなどの潤滑油が上方へ流出するのを防止することができる。
【００２６】
しかも、油溜溝に充填したグリスなどの潤滑油によって歯車を長期にわたって円滑に回転させることができるようにしたディスクプレーヤーを提供することができる。
【図面の簡単な説明】
【図１】本発明の第１の参考例であるディスクプレーヤーの動力伝達機構を示す縦断面図である。
【図２】同横断面図である。
【図３】同分解斜視図である。
【図４】本発明の第２の参考例であるディスクプレーヤーの動力伝達機構を示す縦断面図である。
【図５】同横断面図である。
【図６】同分解斜視図である。
【図７】本発明の第３の参考例であるディスクプレーヤーの動力伝達機構を示す縦断面図である。
【図８】本発明の実施の一形態であるディスクプレーヤーの動力伝達機構を示す縦断面図である。
【図９】同分解斜視図である。
【図１０】ディスクプレーヤーを示す斜視図である。
【図１１】同横断面図である。
【図１２】従来の動力伝達機構を示す縦断面図である。
【図１３】同水平断面図である。
【符号の説明】
１      トレー（被駆動部）
３      光ピックアップ（被駆動部）
４      動力伝達機構
４Ａ    支軸
４Ｂ    歯車
５      駆動モータ
９      支軸の小径部外周面
１０    歯車の内周面
１０ａ    溝付き面
１０ｂ    溝無し面
１２    油溜溝
１３    環状凹段部
１５    油漏れ防止キャップ
Ｏ      潤滑油
【図１】
0003558207.tif 000002
【図２】
0003558207.tif 000003
【図３】
0003558207.tif 000004
【図４】
0003558207.tif 000005
【図５】
0003558207.tif 000006
【図６】
0003558207.tif 000007
【図７】
0003558207.tif 000008
【図８】
0003558207.tif 000009
【図９】
0003558207.tif 000010
【図１０】
0003558207.tif 000011
【図１１】
0003558207.tif 000012
【図１２】
0003558207.tif 000013
【図１３】
0003558207.tif 000014